(57)【要約】【課題】コネクタカバーの開閉時における筐体の塗装落ち、コネクタカバーの閉め忘れによる密閉性低下に伴う異物の侵入、コネクタカバーの紛失、並びにコネクタの変形や破損を確実に防止し得る携帯端末機器を提供する。【解決手段】筐体２内部に、格納位置と張出位置との間で移動自在となるようコネクタ５を配設し、筐体２のコネクタ用開口部４にコネクタカバー６を開閉自在に取り付け、コネクタカバー６を押し開けるようにコネクタ５の接続部５ａを筐体２のコネクタ用開口部４から張り出させる方向へ付勢する弾性部材７を、コネクタ５の反接続部５ａ側に配設し、弾性部材７の付勢力に抗してコネクタ５を格納位置に保持するロック機構８を筐体２内部に形成し、ロック機構８によるコネクタ５の格納位置での保持状態を解除するための解除スイッチ９を筐体２に設ける。【選択図】図１
2005123943.tif 000002
【特許請求の範囲】
【請求項１】
筐体内部に、該筐体内部に格納される格納位置と、外部のプラグを接続するために筐体のコネクタ用開口部から接続部が張り出す張出位置との間で移動自在となるよう配設されたコネクタと、
筐体のコネクタ用開口部に開閉自在に取り付けられたコネクタカバーと、
該コネクタカバーを押し開けるように前記コネクタの接続部を筐体のコネクタ用開口部から張り出させる方向へ付勢する弾性部材と、
該弾性部材の付勢力に抗してコネクタを格納位置に保持するロック機構と、
該ロック機構によるコネクタの格納位置での保持状態を解除するための解除スイッチと
を備えたことを特徴とする携帯端末機器。
【請求項２】
コネクタカバーを観音開き式とした請求項１記載の携帯端末機器。
【請求項３】
ロック機構を、筐体内部に突設された係止片と、該係止片に対し係合し且つ解除スイッチの操作により係止片から離脱するようコネクタに突設されたストッパとから構成した請求項１又は２記載の携帯端末機器。
【請求項４】
プラグを充電用とし、該プラグを張出位置にあるコネクタの接続部に接続しつつ押し込み、該コネクタを格納位置に保持した状態で充電を行うよう構成した請求項１〜３いずれかに記載の携帯端末機器。
【発明の詳細な説明】
【技術分野】
【０００１】
本発明は、携帯端末機器に関するものである。
【背景技術】
【０００２】
一般に、携帯電話、ＰＨＳ（簡易型携帯電話）等の小型の携帯端末機器においては、その筐体内部にコネクタが固定して設けられると共に、該コネクタの接続部を覆うように着脱式或いはシャッター式のコネクタカバーが設けられており、該コネクタカバーを取り外す等して前記コネクタの接続部を開放した状態で、該コネクタの接続部に、ＡＣ電源等の電源に対しアダプターを介してつないだ充電用ケーブルのプラグを接続したり、或いはモバイルパソコンにつないだデータ通信用ケーブルのプラグを接続することにより、バッテリーへの充電やデータ通信を行うようになっている。
【０００３】
尚、携帯端末機器のコネクタに関する一般的技術水準を示すものとしては、例えば、特許文献１がある。
【特許文献１】特開平１０−１９０８０３号公報
【発明の開示】
【発明が解決しようとする課題】
【０００４】
しかしながら、前述の如き従来の携帯端末機器では、コネクタに対する各種プラグの接続時には、コネクタカバーの開閉を手で行わなければならないため、開閉時に筐体の塗装落ちが生じたり、コネクタカバーの閉め忘れにより密閉性が低下して異物が侵入し故障の原因となったりする虞があり、更に、コネクタカバーを紛失してしまうといった不具合を有していた。
【０００５】
又、筐体内部に固定されたコネクタにプラグを差し込むため、その接続状態を把握しずらく、プラグが斜めに挿入されたような場合、コネクタの変形や破損が生じる虞もあった。
【０００６】
本発明は、斯かる実情に鑑み、コネクタカバーの開閉時における筐体の塗装落ち、コネクタカバーの閉め忘れによる密閉性低下に伴う異物の侵入、コネクタカバーの紛失、並びにコネクタの変形や破損を確実に防止し得る携帯端末機器を提供しようとするものである。
【課題を解決するための手段】
【０００７】
本発明は、筐体内部に、該筐体内部に格納される格納位置と、外部のプラグを接続するために筐体のコネクタ用開口部から接続部が張り出す張出位置との間で移動自在となるよう配設されたコネクタと、
筐体のコネクタ用開口部に開閉自在に取り付けられたコネクタカバーと、
該コネクタカバーを押し開けるように前記コネクタの接続部を筐体のコネクタ用開口部から張り出させる方向へ付勢する弾性部材と、
該弾性部材の付勢力に抗してコネクタを格納位置に保持するロック機構と、
該ロック機構によるコネクタの格納位置での保持状態を解除するための解除スイッチと
を備えたことを特徴とする携帯端末機器にかかるものである。
【０００８】
上記手段によれば、以下のような作用が得られる。
【０００９】
コネクタを使用する際には、該コネクタが筐体内部の格納位置に格納されている状態から、解除スイッチを操作し、ロック機構によるコネクタの格納位置での保持状態を解除すると、弾性部材の付勢力により、コネクタの接続部がコネクタカバーを押し開けるように筐体のコネクタ用開口部から張り出して張出位置に保持され、この状態から、外部のプラグをコネクタの接続部に接続しつつ押し込むと、該コネクタがロック機構により格納位置に保持される。
【００１０】
コネクタの使用が完了した後、プラグをコネクタの接続部から引き抜くと、コネクタはロック機構により格納位置に保持されたまま、コネクタカバーが筐体のコネクタ用開口部を再び閉じる形となる。
【００１１】
この結果、従来の携帯端末機器のように、コネクタに対する各種プラグの接続時に、コネクタカバーの開閉を手で行わなくて済むため、開閉時に筐体の塗装落ちが生じたり、コネクタカバーの閉め忘れにより密閉性が低下して異物が侵入し故障の原因となったりする心配がなく、更に、コネクタカバーを紛失してしまうことも避けられる。
【００１２】
又、筐体のコネクタ用開口部から張り出した状態のコネクタの接続部にプラグを差し込むため、その接続状態を把握しやすくなり、プラグが斜めに挿入されたりせず、コネクタの変形や破損が生じにくくなる。
【００１３】
更に、前記プラグをコネクタの接続部に接続しつつ押し込んだ場合、コネクタがロック機構により格納位置に保持されると共に、プラグも筐体内部に入り込み、コネクタとプラグとの接続部分が筐体によって保護される形となるため、該コネクタとプラグとの接続部分に誤って大きな力を掛けてしまうようなことが避けられ、コネクタに対するプラグの接続状態をより安定化させることが可能となる。
【００１４】
前記携帯端末機器においては、コネクタカバーを観音開き式とすることができ、このようにすると、コネクタカバーによるコネクタ用開口部の閉塞性がより高められ、異物の侵入を確実に防ぐことが可能となる。
【００１５】
又、前記携帯端末機器においては、ロック機構を、筐体内部に突設された係止片と、該係止片に対し係合し且つ解除スイッチの操作により係止片から離脱するようコネクタに突設されたストッパとから構成することができる。
【００１６】
更に又、前記携帯端末機器においては、プラグを充電用とし、該プラグを張出位置にあるコネクタの接続部に接続しつつ押し込み、該コネクタを格納位置に保持した状態で充電を行うよう構成することができる。
【発明の効果】
【００１７】
本発明の携帯端末機器によれば、コネクタカバーの開閉時における筐体の塗装落ち、コネクタカバーの閉め忘れによる密閉性低下に伴う異物の侵入、コネクタカバーの紛失、並びにコネクタの変形や破損を確実に防止し得るという優れた効果を奏し得る。
【発明を実施するための最良の形態】
【００１８】
以下、本発明の実施の形態を添付図面を参照して説明する。
【００１９】
図１〜図４は本発明を実施する形態の一例であって、携帯端末機器１の筐体２内部に、該筐体２内部に格納される格納位置と、外部のプラグ３を接続するために筐体２のコネクタ用開口部４から接続部５ａが張り出す張出位置との間で移動自在となるようコネクタ５を配設し、前記筐体２のコネクタ用開口部４にコネクタカバー６を開閉自在に取り付け、該コネクタカバー６を押し開けるように前記コネクタ５の接続部５ａを筐体２のコネクタ用開口部４から張り出させる方向へ付勢するスプリング等の弾性部材７を、前記コネクタ５の反接続部５ａ側に配設し、該弾性部材７の付勢力に抗してコネクタ５を格納位置に保持するロック機構８を筐体２内部に形成し、該ロック機構８によるコネクタ５の格納位置での保持状態を解除するための解除スイッチ９を筐体２に設けるようにしたものである。
【００２０】
前記コネクタカバー６は、通常時には筐体２のコネクタ用開口部４を閉鎖状態に保持し（図１参照）且つコネクタ５が格納位置から張出位置へ移行する際にのみ押し開けられる（図２参照）観音開き式としてある。
【００２１】
前記ロック機構８は、筐体２内部に突設された係止片８ａと、該係止片８ａに対し係合し且つ解除スイッチ９の操作により係止片８ａから離脱するようコネクタ５に突設されたストッパ８ｂとを備えてなる構成を有している。尚、前記ストッパ８ｂは、楔状の部材で、通常時には、図示していないスプリング等の弾性部材の付勢力によりコネクタ５の側面から突出した状態に保持されており、解除スイッチ９によって押圧されることにより、コネクタ５内に埋没して係止片８ａが設けられた部分を通過可能となるようにしてある。
【００２２】
前記解除スイッチ９は、筐体２外部から指で押され前記ロック機構８のストッパ８ｂをコネクタ５内に埋没させるスイッチ本体９ａと、該スイッチ本体９ａを元の位置に復帰させるスプリング等の復帰用弾性部材９ｂとから構成してある。
【００２３】
尚、前記プラグ３は充電用とし、該プラグ３を張出位置にあるコネクタ５の接続部５ａに接続しつつ押し込み、該コネクタ５を格納位置に保持した状態で充電を行うよう構成してあるが、前記プラグ３をデータ通信用とし、該プラグ３を張出位置にあるコネクタ５の接続部５ａに接続しつつ押し込み、該コネクタ５を格納位置に保持した状態でデータ通信を行うよう構成しても良い。
【００２４】
次に、上記図示例の作用を説明する。
【００２５】
バッテリーへの充電やデータ通信を行う際には、コネクタ５が筐体２内部の格納位置に格納されている状態（図１参照）から、解除スイッチ９を指で押すように操作し、ロック機構８によるコネクタ５の格納位置での保持状態を解除すると、弾性部材７の付勢力により、コネクタ５の接続部５ａがコネクタカバー６を押し開けるように筐体２のコネクタ用開口部４から張り出して張出位置に保持され（図２参照）、この状態から、外部のプラグ３をコネクタ５の接続部５ａに接続しつつ（図３参照）押し込むと、該コネクタ５がロック機構８により格納位置に保持される（図４参照）。
【００２６】
バッテリーへの充電やデータ通信が完了した後、プラグ３をコネクタ５の接続部５ａから引き抜くと、コネクタ５はロック機構８により格納位置に保持されたまま、コネクタカバー６が筐体２のコネクタ用開口部４を再び閉じる形となる（図１参照）。
【００２７】
この結果、従来の携帯端末機器のように、コネクタ５に対する各種プラグ３の接続時に、コネクタカバー６の開閉を手で行わなくて済むため、開閉時に筐体２の塗装落ちが生じたり、コネクタカバー６の閉め忘れにより密閉性が低下して異物が侵入し故障の原因となったりする心配がなく、更に、コネクタカバー６を紛失してしまうことも避けられる。
【００２８】
又、筐体２のコネクタ用開口部４から張り出した状態のコネクタ５の接続部５ａにプラグ３を差し込むため、その接続状態を把握しやすくなり、プラグ３が斜めに挿入されたりせず、コネクタ５の変形や破損が生じにくくなる。
【００２９】
更に、前記プラグ３をコネクタ５の接続部５ａに接続しつつ押し込んだ場合、図４に示す如く、コネクタ５がロック機構８により格納位置に保持されると共に、プラグ３も筐体２内部に入り込み、コネクタ５とプラグ３との接続部分が筐体２によって保護される形となるため、該コネクタ５とプラグ３との接続部分に誤って大きな力を掛けてしまうようなことが避けられ、コネクタ５に対するプラグ３の接続状態をより安定化させることが可能となる。
【００３０】
しかも、本図示例においては、コネクタカバー６を、通常時には筐体２のコネクタ用開口部４を閉鎖状態に保持し且つコネクタ５が格納位置から張出位置へ移行する際にのみ押し開けられる観音開き式としてあるため、コネクタカバー６によるコネクタ用開口部４の閉塞性がより高められ、異物の侵入を確実に防ぐことが可能となる。
【００３１】
こうして、コネクタカバー６の開閉時における筐体２の塗装落ち、コネクタカバー６の閉め忘れによる密閉性低下に伴う異物の侵入、コネクタカバー６の紛失、並びにコネクタ５の変形や破損を確実に防止し得る。
【００３２】
尚、本発明の携帯端末機器は、上述の図示例にのみ限定されるものではなく、本発明の要旨を逸脱しない範囲内において種々変更を加え得ることは勿論である。
【図面の簡単な説明】
【００３３】
【図１】本発明を実施する形態の一例においてコネクタを格納位置に保持した状態を示す図であって、（ａ）は平断面図、（ｂ）は斜視図である。
【図２】本発明を実施する形態の一例においてコネクタを張出位置に張り出させた状態を示す図であって、（ａ）は平断面図、（ｂ）は斜視図である。
【図３】本発明を実施する形態の一例において張出位置に張り出させたコネクタにプラグを差し込んでいる状態を示す図であって、（ａ）は平断面図、（ｂ）は斜視図である。
【図４】本発明を実施する形態の一例においてプラグが接続されたコネクタを格納位置に保持した状態を示す図であって、（ａ）は平断面図、（ｂ）は斜視図である。
【符号の説明】
【００３４】
１    携帯端末機器
２    筐体
３    プラグ
４    コネクタ用開口部
５    コネクタ
５ａ  接続部
６    コネクタカバー
７    弾性部材
８    ロック機構
８ａ  係止片
８ｂ  ストッパ
９    解除スイッチ
【図１】
2005123943.tif 000003
【図２】
2005123943.tif 000004
【図３】
2005123943.tif 000005
【図４】
2005123943.tif 000006